(57)【要約】【課題】接触物体の接触形状の検出精度を高めて、描画の品質を向上した光学式描画装置を提供する。【解決手段】光学式描画装置１は、４つの方向における占有範囲を検出する第１検出部７１〜７４と、検出された各方向の占有範囲の重複領域の形状、大きさ及び位置を判断する重複領域判断部７５と、判断された重複領域の形状、大きさ及び位置に基づいて描画物を表示部に表示させる表示制御部７６とを備える。【選択図】図３
2015125485.tif 000002
【特許請求の範囲】
【請求項１】
描画物を表示する表示部と、
前記表示部に表示させる描画物を入力するための接触物体が移動自在に接触する矩形の入力面を有する入力面部材と、
前記入力面の隣接辺である第１辺及び第２辺に沿って等間隔で配設され、前記入力面の上方を前記入力面から第１高さで進む光を放射する複数の第１光放射部と、
前記入力面の前記第１辺及び前記第２辺の対辺である第３辺及び第４辺に沿って前記第１高さで等間隔で配設され、前記第１光放射部からの放射光を受ける複数の第１受光部と、
前記第１辺及び前記第４辺に沿って等間隔で配設され、前記入力面の上方を前記入力面から前記第１高さとは異なる第２高さで進む光を放射する複数の第２光放射部と、
前記第２辺及び前記第３辺に沿って前記第２高さで等間隔で配設され、前記第２光放射部からの放射光を受ける複数の第２受光部と、
前記入力面上の前記接触物体の接触部分についての前記第１辺に対して平行な第１方向の占有範囲を、前記第１光放射部から前記第２辺に対して平行な第２方向で前記第１受光部に入射した放射光の受光量に基づいて検出する第１検出部と、
前記入力面上の前記接触物体の接触部分についての前記第２方向の占有範囲を、前記第１光放射部から前記第１方向で前記第１受光部に入射した放射光の受光量に基づいて検出する第２検出部と、
前記入力面上の前記接触物体の接触部分についての前記第１方向に対して傾斜する第３方向の占有範囲を、前記第１光放射部から前記第１方向に対して前記第３方向とは対称な角度で傾斜する第４方向で前記第１受光部に入射した放射光の受光量に基づいて検出する第３検出部と、
前記入力面上の前記接触物体の接触部分についての前記第４方向の占有範囲を、前記第２光放射部から前記第３方向に前記第２受光部に入射した放射光の受光量に基づいて検出する第４検出部と、
前記入力面上の前記接触物体の接触部分について検出された前記第１方向の占有範囲と、前記第２方向の占有範囲と、前記第３方向の占有範囲と、前記第４方向の占有範囲とが重複する前記入力面上の重複領域を求めて、該重複領域の形状、大きさ及び位置を判断する重複領域判断部と、
前記重複領域判断部が判断した前記重複領域の形状、大きさ及び位置に基づく描画物を前記表示部に表示させる表示制御部とを備えることを特徴とする光学式描画装置。
【請求項２】
請求項１記載の光学式描画装置において、
前記第１検出部は、前記第１辺に沿う第１光放射部を１つずつ点灯させ、点灯させた第１光放射部に対して前記第２方向に配設された第１受光部の受光量に基づいて前記第１方向の占有範囲を検出し、
前記第２検出部は、前記第２辺に沿う第１光放射部を１つずつ点灯させ、点灯させた第１光放射部に対して前記第１方向に配設された第１受光部の受光量に基づいて前記第２方向の占有範囲を検出し、
前記第３検出部は、前記第１光放射部を１つずつ点灯させ、点灯させた第１光放射部に対して前記第４方向に配設された第１受光部の受光量に基づいて前記第３方向の占有範囲を検出し、
前記第４検出部は、前記第２光放射部を１つずつ点灯させ、点灯させた第２光放射部に対して前記第３方向に配設された第２受光部の受光量に基づいて前記第４方向の占有範囲を検出することを特徴とする光学式描画装置。
【請求項３】
請求項２記載の光学式描画装置において、
前記第３検出部は、１つずつ点灯させる第１光放射部を、前記第１方向の占有範囲と前記第２方向の占有範囲とが重複する前記入力面上の領域としての暫定領域における前記第３方向の両端の２点に対し、該２点から前記第４方向へ引いた２直線の間の範囲と該範囲の両側の所定の隣接範囲とに含まれる第１光放射部に限定し、
前記第４検出部が点灯させる第２光放射部は、１つずつ点灯させる第２光放射部を、前記暫定領域における前記第４方向の両端の２点に対し、該２点から前記第３方向へ引いた２直線の間の範囲とその両側の所定の隣接範囲とに含まれる第２光放射部に限定することを特徴とする光学式描画装置。
【請求項４】
請求項１〜３のいずれか１項に記載の光学式描画装置において、
前記入力面部材は、透明材料から成るとともに、前記表示部の上に配設されていることを特徴とする光学式描画装置。
【発明の詳細な説明】
【技術分野】
【０００１】
本発明は、毛筆等を使って描画を行う光学式描画装置に関する。
【背景技術】
【０００２】
描画装置には、入力方式として抵抗式、容量式及び光学式等がある。光学式描画装置は、入力面に対する接触圧力が小さくても、接触位置を適切に検出できることや、電波ノイズの影響が少ないこと等の利点をもつ。光学式描画装置は、また、スマートフォンやタブレットコンピュータ等に装備される光学式タッチスクリーンの一種であり、入力面における接触物体の接触位置（タッチ位置）の検出について、光学式タッチスクリーンの検出方式と同一の検出方式を使用することができる。
【０００３】
特許文献１は、指等の接触物体が、２つ、同時に入力面に接触した場合に、２つの接触位置が２つであることを正確に検出できる光学式タッチスクリーンを開示する。該光学式タッチスクリーンでは、光の出射方向として縦方向及び横方向の他に、さらに、±４５°斜めの方向を追加し、光出射部から各出射方向で出射された光に対する光入射部の受光量に基づいて接触位置を検出する。
【０００４】
特許文献２は、光放射部及び光入射部を、入力面からの高さが異なる２つの高さで配備する光学式タッチスクリーンを開示する。該光学式タッチスクリーンでは、指等の接触物体が入力面に対して斜めの角度で接触されたときに、上側の光放射部及び光入射部により検出した接触物体の横切り座標位置と、下側の光放射部及び光入射部により検出した接触物体の横切り座標位置との差分に基づいて、入力面における接触位置を正確に検出する。
【０００５】
特許文献３は、接触位置の分解能を高めた光学式タッチスクリーンを開示する。光放射部及び光入射部は、幅をもつので、配置間隔を十分に詰めることができない。そこで、特許文献３の光学式タッチスクリーンでは、光放射部及び光入射部の取付け部材としての矩形枠の基板が、入力面から所定高さに配置されて、光放射部及び光入射部が、基板の上面及び下面の両方に取付けられる。上面と下面とでは、光放射部及び光入射部のピッチ（配置位置）が１／２ピッチずらされているので、１つの取付け面における光放射部及び光入射部の実装数を２倍にしたのと同様の検出精度を得ることができる。
【先行技術文献】
【特許文献】
【０００６】
【特許文献１】米国特許出願公開２０１２／０１８８２０６号公報
【特許文献２】特開平５−２４１７３３号公報
【特許文献３】特開平９−３１９５００号公報
【発明の概要】
【発明が解決しようとする課題】
【０００７】
例えば毛筆で描画する光学式描画装置では、使用者は、入力面に接触させる毛筆の接触形状を微妙に変化させつつ、毛筆を、入力面上を滑らせて、毛筆画を描こうとする。この場合、毛筆の接触形状は、時々刻々変化するので、この接触形状の変化を表示部の描画物に忠実に反映すれば、描画の品質が向上する。
【０００８】
縦横の２方向の出射光に対する光入射部の受光量に基づいて入力面における接触物体の接触部分の位置を検出する従来の光学式描画装置で、例えば、接触部分が、中心を同じ位置にある円及び正方形であり、円の直径と正方形の一辺とが同一である場合には、接触部分の接触形状が円であるか正方形であるかを区別して、接触形状を判断することができない。
【０００９】
特許文献１の光学式タッチスクリーンは、２つの接触物体が表示面に同時に接触した場合に、光放射部からの出射光の進行方向に、遠方側の接触物体が近傍側の接触物体の影に入るために、接触位置が１つなのか２つなのかが不明となることに対処するものである。特許文献１は、接触物体について、その接触形状を判断する具体的な構成を開示していない。
【００１０】
特許文献２の光学式タッチスクリーンは、表示面から２つの異なる高さにおける接触物体の横切り座標位置を検出することにより、接触物体の傾斜にもかかわらず、入力面における接触物体の接触位置を正確に検出するものである。特許文献２は、接触物体について、その接触形状を判断する具体的な構成を開示していない。
【００１１】
特許文献３の光学式タッチスクリーンは、基板の上面側及び下面側の光放射部及び光入射部のピッチを１／２ずらして、接触位置の検出精度を高めるものである。特許文献３は、接触物体について、その接触形状を判断する具体的な構成を開示していない。
【００１２】
本発明の目的は、接触物体の接触形状の検出精度を高めて、描画の品質を向上させた光学式描画装置を提供することである。
【課題を解決するための手段】
【００１３】
本発明の光学式描画装置は、描画物を表示する表示部と、前記表示部に表示させる描画物を入力するための接触物体が移動自在に接触する矩形の入力面を有する入力面部材と、前記入力面の隣接辺である第１辺及び第２辺に沿って等間隔で配設され、前記入力面の上方を前記入力面から第１高さで進む光を放射する複数の第１光放射部と、前記入力面の前記第１辺及び前記第２辺の対辺である第３辺及び第４辺に沿って前記第１高さで等間隔で配設され、前記第１光放射部からの放射光を受ける複数の第１受光部と、前記第１辺及び前記第４辺に沿って等間隔で配設され、前記入力面の上方を前記入力面から前記第１高さとは異なる第２高さで進む光を放射する複数の第２光放射部と、前記第２辺及び前記第３辺に沿って前記第２高さで等間隔で配設され、前記第２光放射部からの放射光を受ける複数の第２受光部と、前記入力面上の前記接触物体の接触部分についての前記第１辺に対して平行な第１方向の占有範囲を、前記第１光放射部から前記第２辺に対して平行な第２方向で前記第１受光部に入射した放射光の受光量に基づいて検出する第１検出部と、前記入力面上の前記接触物体の接触部分についての前記第２方向の占有範囲を、前記第１光放射部から前記第１方向で前記第１受光部に入射した放射光の受光量に基づいて検出する第２検出部と、前記入力面上の前記接触物体の接触部分についての前記第１方向に対して傾斜する第３方向の占有範囲を、前記第１光放射部から前記第１方向に対して前記第３方向とは対称な角度で傾斜する第４方向で前記第１受光部に入射した放射光の受光量に基づいて検出する第３検出部と、前記入力面上の前記接触物体の接触部分についての前記第４方向の占有範囲を、前記第２光放射部から前記第３方向に前記第２受光部に入射した放射光の受光量に基づいて検出する第４検出部と、前記入力面上の前記接触物体の接触部分について検出された前記第１方向の占有範囲と、前記第２方向の占有範囲と、前記第３方向の占有範囲と、前記第４方向の占有範囲とが重複する前記入力面上の重複領域を求めて、該重複領域の形状、大きさ及び位置を判断する重複領域判断部と、前記重複領域判断部が判断した前記重複領域の形状、大きさ及び位置に基づく描画物を前記表示部に表示させる表示制御部とを備えることを特徴とする。
【００１４】
本発明によれば、入力面上の接触物体の接触部分について、第１検出部が、第１方向の占有範囲を、第１光放射部から第２方向で第１受光部に入射した放射光の受光量に基づいて検出し、第２検出部が、第２方向の占有範囲を、第１光放射部から第１方向で第１受光部に入射した放射光の受光量に基づいて検出し、第３検出部が、第３方向の占有範囲を、第１光放射部から第４方向で第１受光部に入射した放射光の受光量に基づいて検出し、第４検出部が、第４方向の占有範囲を、第２光放射部から第３方向で第２受光部に入射した放射光の受光量に基づいて検出する。
【００１５】
そして、重複領域判断部が、４方向の占有範囲が入力面上において重複する重複領域の形状、大きさ及び位置を判断し、表示制御部が、該形状、大きさ及び位置に基づく描画物を表示部に表示させる。すなわち、従来は、接触物体の接触形状を一律に矩形でしか検出できなかったのに対し、実際の形状に近付けた高い精度で検出した接触形状に基づいて描画物を表示部に表示させることにより、描画の品質を向上することができる。
【００１６】
本発明の光学式描画装置において、前記第１検出部は、前記第１辺に沿う第１光放射部を１つずつ点灯させ、点灯させた第１光放射部に対して前記第２方向に配設された第１受光部の受光量に基づいて前記第１方向の占有範囲を検出し、前記第２検出部は、前記第２辺に沿う第１光放射部を１つずつ点灯させ、点灯させた第１光放射部に対して前記第１方向に配設された第１受光部の受光量に基づいて前記第２方向の占有範囲を検出し、前記第３検出部は、前記第１光放射部を１つずつ点灯させ、点灯させた第１光放射部に対して前記第４方向に配設された第１受光部の受光量に基づいて前記第３方向の占有範囲を検出し、前記第４検出部は、前記第２光放射部を１つずつ点灯させ、点灯させた第２光放射部に対して前記第３方向に配設された第２受光部の受光量に基づいて前記第４方向の占有範囲を検出することができる。
【００１７】
この構成によれば、第１光放射部を１つずつ点灯させて、点灯した第１光放射部から第１受光部にそれぞれ第２方向、第１方向及び第４方向で入射した放射光の受光量に基づいて、入力面上の接触物体の接触部分についての第１方向、第２方向及び第３方向の占有範囲を適切に求めることができる。また、第２光放射部を１つずつ点灯させて、点灯した第２光放射部から第２受光部にそれぞれ第３方向で入射した放射光の受光量に基づいて、入力面上の接触物体の接触部分についての第４方向の占有範囲を適切に求めることができる。
【００１８】
本発明の光学式描画装置において、前記第３検出部は、１つずつ点灯させる第１光放射部を、前記第１方向の占有範囲と前記第２方向の占有範囲とが重複する前記入力面上の領域としての暫定領域における前記第３方向の両端の２点に対し、該２点から前記第４方向へ引いた２直線の間の範囲と該範囲の両側の所定の隣接範囲とに含まれる第１光放射部に限定し、
前記第４検出部が点灯させる第２光放射部は、１つずつ点灯させる第２光放射部を、前記暫定領域における前記第４方向の両端の２点に対し、該２点から前記第３方向へ引いた２直線の間の範囲とその両側の所定の隣接範囲とに含まれる第２光放射部に限定することができる。
【００１９】
この構成によれば、第３検出部及び第４検出部が、入力面上の接触物体の接触部分についての第３方向及び第４方向の占有範囲を検出するに当たり、１つずつ点灯させる光放射部を限定することにより、検出処理の所要時間の短縮を図りつつ、支障なく、接触部分についての第３方向及び第４方向の占有範囲を検出することができる。
【００２０】
本発明の光学式描画装置において、前記入力面部材は、透明材料から成るとともに、前記表示部の上に配設されていることができる。
【００２１】
この構成よれば、使用者は、入力面を介して表示部の描画を見つつ、入力面上に接触物体を移動して、入力することができるので、入力を能率的に行うことができる。
【図面の簡単な説明】
【００２２】
【図１】描画装置の正面図。
【図２】描画装置の内部構造を示す図。
【図３】描画装置の制御ブロック図。
【図４】描画装置の制御部による描画処理のフローチャート。
【図５】第３検出部が入力面における筆の接触部分について第３方向の占有範囲を検出する第１処理部分のフローチャート。
【図６】図５の第１処理部分に続く第２処理部分のフローチャート。
【図７】第４検出部が入力面における筆の接触部分について第４方向の占有範囲を検出する第１処理部分のフローチャート。
【図８】図７の第１処理部分に続く第２処理部分のフローチャート。
【図９】（ａ）は正方形の接触部分についてのｘ軸方向の座標範囲及びｙ軸方向の座標範囲の説明図、（ｂ）は円の接触部分についてのｘ軸方向の座標範囲及びｙ軸方向の座標範囲の説明図。
【図１０】（ａ）は正方形の接触部分についてのｘ’軸方向の座標範囲の説明図、（ｂ）は円の接触部分についてのｘ’軸方向の座標範囲の説明図。
【図１１】（ａ）は正方形の接触部分についてのｙ’軸方向の座標範囲の説明図、（ｂ）は円の接触部分についてのｙ’軸方向の座標範囲の説明図。
【図１２】重複領域についての説明図。
【図１３】表示制御部によるＬＣＤにおける描画処理についての説明図。
【発明を実施するための形態】
【００２３】
図１は、本発明の実施形態に係る光学式描画装置１の正面図である。この光学式描画装置１は、正面視が横長の矩形とされ、ハウジング４内にＬＣＤ（液晶表示装置）２を収容している。図２で後述するように、ハウジング４上には透明板５が配設されている。光学式描画装置１の使用者は、透明板５を介してＬＣＤ２の表示面３に表示されている描画を見ることができる。
【００２４】
使用者は、接触物体の一例として透明板５の上を移動自在な毛筆６を用いて描画する。そのため、毛筆６の先端部を透明板５の表面側の入力面７に接触させて、文字や絵等を入力する。これによって、透明板５の下のＬＣＤ２の表示面３に描画物（例えば、図１の「毛筆」の文字）が表示されるので、使用者は、透明板５を通して描画物を見ることにより、自分の入力を確認することができる。
【００２５】
図２は、光学式描画装置１の内部構造の主要部断面図である。ＬＣＤ２は、プリント基板１３との間に所定の間隙を空けて、下側のスペーサ１４を介してプリント基板１３に固定される。上側のスペーサ１５は、ＬＣＤ２と透明板５との間に介在し、透明板５を表示面３から所定の高さで支持する。
【００２６】
上側のスペーサ１５の内周は、ハウジング４の正面視の外形にほぼ相似の矩形（矩形には、正方形も含まれる。）に設定される。ＬＣＤ２の表示面３及び透明板５の入力面７の形状及び大きさ（寸法）は、スペーサ１５の内周の形状及び大きさになる。ＬＣＤ２及び透明板５の外形も、ハウジング４の正面視の外形にほぼ相似の矩形になっている。
【００２７】
ここで、説明の便宜のために、矩形の入力面７について、上辺、左辺、下辺及び右辺を定義する。使用者が、光学式描画装置１を使用するために、光学式描画装置１を自分の前に水平に置いたとき、入力面７の遠い側及び近い側をそれぞれ上辺及び下辺と呼び、左側及び右側の短辺を左辺及び右辺と呼ぶことにする。使用者が光学式描画装置１を横長で前に置いている場合には、後述の図３のように、入力面７に対し上辺６１、左辺６２、下辺６３及び右辺６４が定義される。
【００２８】
なお、これは、説明の便宜上の定義であり、光学式描画装置１の実際の使用における上下左右を限定するものではない。使用者は、光学式描画装置１を上下が縦長になるように置いて、使用することも可能である。また、光学式描画装置１を十分に大型にして、壁掛け型のホワイトボードとして使用する場合には、上辺６１、左辺６２、下辺６３及び右辺６４は、使用者から見て光学式描画装置１の実際の上辺、左辺、下辺及び右辺に対応したものとなる。
【００２９】
上辺６１と左辺６２、及び下辺６３と右辺６４は隣接辺の関係にある。上辺６１と下辺６３、及び左辺６２と右辺６４は対辺の関係にある。
【００３０】
図２において、複数の第１発光素子１９は、例えばＬＥＤ（発光ダイオード）から成り、入力面７の上辺６１及び左辺６２に対応するプリント基板１３の上辺及び左辺に沿ってプリント基板１３の上面に取付けられる。複数の第１受光素子２０は、例えばフォトダイオードから成り、入力面７の下辺６３及び右辺６４に対応するプリント基板１３の下辺及び右辺に沿ってプリント基板１３の上面に取付けられる。複数の第２発光素子２１は、例えばＬＥＤから成り、入力面７の上辺６１及び右辺６４に対応するプリント基板１３の上辺及び右辺に沿ってプリント基板１３の下面に取付けられる。複数の第２受光素子２２は、例えばフォトダイオードから成り、入力面７の左辺６２及び下辺６３に対応するプリント基板１３の左辺及び下辺に沿ってプリント基板１３の下面に取付けられる。
【００３１】
この光学式描画装置１は、入力面７より下の第１発光素子１９及び第２発光素子２１の発光を、導光部を介して入力面７より上の第１光放射部４１及び第２光放射部４５へ導く構造を有する。また、入力面７より上の第１光入射部４２及び第２光入射部４６に入射した光を入力面７より下の第１受光素子２０及び第２受光素子２２へ導き、第１受光素子２０及び第２受光素子２２により受光量を検出する構造を有する。
【００３２】
すなわち、第１下側導光部２６、第１上側導光部２７、第１下側導光部２８及び第１上側導光部２９は、第１発光素子１９から第１受光素子２０までの第１光路４９を形成する。第１発光素子１９から出射した光は、該光路に沿って、第１下側導光部２６及び第１上側導光部２７を通過し、第１上側導光部２７の端の第１光放射部４１から透明板５の上面側を透明板５に対して平行に放射される。そして、入力面７の上方を入力面７から第１高さで進み、第１光入射部４２から第１上側導光部２９に入射し、第１上側導光部２９及び第１下側導光部２８を経て、第１受光素子２０に入射する。第１光放射部４１及び第１光入射部４２は、所望の放射及び集光を達成するために、レンズ形状に設定される。
【００３３】
第２下側導光部３４、第２上側導光部３５、第２下側導光部３６及び第２上側導光部３７は、第２発光素子２１から第２受光素子２２までの第２光路５０を形成する。第２発光素子２１から出射した光は、第２下側導光部３４及び第２上側導光部３５を通過し、第２上側導光部３５の端の第２光放射部４５から透明板５の上面側を透明板５に対して平行に放射される。そして、入力面７の上方を入力面７から第１高さより高い第２高さで進み、第２光入射部４６から第２上側導光部３７に入射し、第２上側導光部３７及び第２下側導光部３６を経て、第２受光素子２２に入射する。第２光放射部４５及び第２光入射部４６は、所望の放射及び集光を達成するために、レンズ形状に設定される。第２光路５０は、透明板５の上面側では、第１光路４９より上に形成される。
【００３４】
第１光放射部４１及び第２光放射部４５及び第１光入射部４２及び第２光入射部４６は、図示上はそれぞれ１つずつであるが、発光部ｔ１０〜ｔ２９等（図３等）に対応する分だけ存在する。後述の図３等の発光部ｔ１０〜ｔ２９の各々は第１光放射部４１から構成される。後述の受光部ｒ３０〜ｒ４９（図３等）の各々は第１光入射部４２から構成される。後述の発光部ｐ１０〜ｐ１９，ｐ４０〜ｐ４９（図３等）の各々は第２光放射部４５から構成される。後述の受光部ｑ２０〜ｒ３９（図３等）の各々は第２光入射部４６から構成される。
【００３５】
図３は、光学式描画装置１の制御ブロック図である。発光部及び受光部の配置については、後述の図９以降において詳説するので、図３では概略的に説明する。図３において、発光部ｔ１０〜ｔ１９は、入力面７から第１高さにおいて入力面７の上辺６１に沿って等間隔で一列に配設される。発光部ｔ２０〜ｔ２９は、入力面７から第１高さにおいて左辺６２に沿って等間隔で一列に配設される。受光部ｒ３０〜t３９は、第１高さにおいて下辺６３に沿って等間隔で一列に配設される。受光部ｒ４０〜t４９は、第１高さにおいて右辺６４に沿って等間隔で一列に配設される。
【００３６】
発光部ｐ１０〜ｐ１９は、入力面７から第１高さとは異なる第２高さ（例：第１高さ＜第２高さ）において上辺６１に沿って等間隔で一列に配設される。受光部ｑ２０〜ｑ２９は、入力面７から第２高さにおいて左辺６２に沿って等間隔で一列に配設される。受光部ｑ３０〜ｑ３９は、入力面７から第２高さにおいて下辺６３に沿って等間隔で一列に配設される。発光部ｐ４０〜ｐ４９は、入力面７から第２高さにおいて右辺６４に沿って等間隔で一列に配設される。
【００３７】
発光部ｔ１０〜ｔ２９の各々は、光を、入力面７の上方を第１高さで下辺６３及び右辺６４の方へ広がって進むように、光を放射する。発光部ｐ１０〜ｐ１９，ｐ４０〜ｐ４９は、光を、入力面７の上方を第２高さで下辺６３及び左辺６２の方へ広がって進むように、放射する。受光部ｒ３０〜ｒ４９には、入力面７の上方を第１高さで進んできた光が入射する。受光部ｑ２０〜ｑ３９には、入力面７の上方を第２高さで進んできた光が入射する。
【００３８】
図３等では、入力面７の各辺における発光部の個数又は受光部の個数は、説明の便宜上、辺の長さに関係なく、等数になっているが、これは、図９等に示すように、入力面７の表示面３を正方形に想定したためである。典型的には、発光部の間隔と受光部の間隔とは、等しくするので、入力面７が矩形である場合は、長辺沿いに配設された発光部又は受光部の総数は、短辺沿いに配設された発光部又は受光部の総数より大きくなる。
【００３９】
制御部７０は、第１検出部７１、第２検出部７２、第３検出部７３、第４検出部７４、重複領域判断部７５及び表示制御部７６を備える。制御部７０は、ＣＰＵ、ＲＯＭ、ＲＡＭ、及び不揮発メモリを備える周知構造の情報処理装置である。プログラム及びデータは、ＲＯＭに全部記憶されているか、又は、非変更部分のみをＲＯＭに記憶し、改訂等により変更される部分を不揮発性メモリに記憶する。第１検出部７１、第２検出部７２、第３検出部７３、第４検出部７４、重複領域判断部７５及び表示制御部７６は、ＣＰＵが所定のプログラムを実行することにより実現される処理機能である。
【００４０】
第１検出部７１、第２検出部７２、第３検出部７３、第４検出部７４、重複領域判断部７５及び表示制御部７６の詳細については、図４以降で説明し、概略のみを説明する。第１検出部７１は、発光部ｔ１０〜ｔ１９の点灯を制御するとともに、受光部ｒ３０〜ｒ３９の受光量を検出する。第２検出部７２は、発光部ｔ２０〜ｔ２９の点灯を制御するとともに、受光部ｒ４０〜ｒ４９の受光量を検出する。
【００４１】
第３検出部７３は、発光部ｔ１０〜ｔ２９の点灯を制御するとともに、受光部ｒ３０〜ｒ４９の受光量を検出する。第４検出部７４は、発光部ｐ１０〜ｐ１９，ｐ４０〜ｐ４９の点灯を制御するとともに、受光部ｑ２０〜ｑ３９の受光量を検出する。
【００４２】
重複領域判断部７５は、第１検出部７１、第２検出部７２、第３検出部７３及び第４検出部７４が検出した、接触部分８０（図９）の各方向の座標範囲に基づいて、重複領域８１（図１２）を求めて、重複領域８１の形状、大きさ及び位置を判断する。なお、接触部分８０の各方向の座標範囲の情報には、接触部分８０の形状、大きさ（寸法）及び座標位置の情報が含められており、重複領域判断部７５は、接触部分８０の形状、大きさ及び座標位置の情報に基づいて重複領域８１の形状、大きさ及び位置を判断することができる。
【００４３】
重複領域判断部７５は、第１検出部７１、第２検出部７２、第３検出部７３及び第４検出部７４が検出した各方向の座標範囲の幅が、共に等しければ、接触部分８０の形状を、正八角形でなく、円と近似的に判断することもできる。後述の図１３（ａ）の素材写像８５−２等は、接触部分８０の形状を円と判断した例を示している。
【００４４】
表示制御部７６は、重複領域判断部７５が判断した重複領域８１（図１２）の形状、大きさ及び位置に基づく描画物（例：図１３）をＬＣＤ２に表示させる。
【００４５】
図４は、制御部７０による描画処理のフローチャートである。図４及び後述の図５〜図８の説明に際し、適宜、図９〜図１２を参照する。図９〜図１２では、入力面７上の座標位置を定義するために、ｘ軸、ｙ軸、ｘ’軸、ｙ’軸が定義される。ｘ軸は、上辺６１に対して平行であり、ｙ軸は左辺６２に対して平行である。ｘ軸−ｙ軸座標系の原点は、入力面７の左上隅、すなわち上辺６１と左辺６２との交点に設定している。
【００４６】
ｘ軸の正の向きは、光学式描画装置１の正面視で右向きとし、ｙ軸の正の向きは、光学式描画装置１の正面視で下向きとする。原点に対して時計方向を正の回転角と定義すると、ｘ’軸−ｙ’軸座標系は、ｘ軸−ｙ軸座標系を−４５°回転したものとなっている。ｘ’軸及びｙ’軸は、ｘ軸に対して対称な角度で傾斜する。
【００４７】
図９〜図１１において、（ａ）は接触部分８０の形状が正方形である場合を示し、（ｂ）は接触部分８０の形状が円である場合を示している。図９〜図１１を通して、（ａ）及び（ｂ）の接触部分８０は、形状は相違するものの、中心は同一座標位置にあり、かつ（ａ）の正方形の一辺と（ｂ）の円の直径とが等しい場合を想定している。
【００４８】
図４に戻り、ＳＴＥＰ１では、第１検出部７１は、接触部分８０についてｘ軸方向の両端のｙ軸方向線を検出する。ｙ軸方向線とは、ｙ軸方向に延びる又は平行な線を意味する。以下、「〜方向線」という場合、〜方向に延びる又は〜方向に対して平行な線を意味するものとする。
【００４９】
ＳＴＥＰ１で検出された、接触部分８０についてｘ軸方向の両端のｙ軸方向線とは、具体的には、図９（ａ）及び（ｂ）のＬxa，Ｌxbである。図９（ａ）のＬxa，Ｌxbと（ｂ）のＬxa，Ｌxbとは同一であり、Ｌxa，Ｌxbによって（ａ）の正方形と（ｂ）の円とは区別することができない。
【００５０】
ＳＴＥＰ２では、第２検出部７２は、接触部分８０についてｙ軸方向の両端のｘ軸方向線を検出する。このｘ軸方向線は、具体的には、図９（ａ）及び（ｂ）のＬya，Ｌybである。図９（ａ）のＬya，Ｌybと（ｂ）のＬya，Ｌybとは同一であり、Ｌya，Ｌybによって（ａ）の正方形と（ｂ）の円とは区別することができない。
【００５１】
第１検出部７１がＬxa，Ｌxbを検出し、また、第２検出部７２がＬya，Ｌybを検出する具体的な方法を、図９を参照して説明する。なお、以下の説明において、「ｘ軸方向対」とは、ｘ軸方向に延びる同一直線上に存在する発光部と受光部との対を指し、「ｙ軸方向対」とは、ｙ軸方向に延びる同一直線上に存在する発光部と受光部との対を指し、「ｘ’軸方向対」とは、ｘ’軸方向に延びる同一直線上に存在する発光部と受光部との対を指し、「ｙ’軸方向対」とは、ｙ’軸方向に延びる同一直線上に存在する発光部と受光部との対を指すものとする。
【００５２】
例えば、発光部ｔ２０と受光部ｒ４０とは、ｘ軸方向対である。発光部ｔ１０と受光部ｒ３０とはｙ軸方向対である。発光部ｐ１１と受光部ｑ２１とは、ｘ’軸方向対である。発光部ｔ１８と受光部ｒ４１とは、ｙ’軸方向対である。
【００５３】
なお、第１高さの発光部ｔ１０〜ｔ２９及び受光部ｒ３０〜ｒ４９は、それらの間においてｘ軸方向対、ｙ軸方向対、及びｙ’軸方向対を構成するように、配置が設定される。また、第２高さの発光部ｐ１０〜ｐ１９，ｐ４０〜ｐ４９及び受光部ｑ２０〜ｑ３９も、それらの間においてｘ’軸方向対を構成するように、配置位置が設定されている。
【００５４】
例えば、入力面７を正方形又は矩形とし、各辺における発光部又は受光部の配置間隔を等しく設定すれば、発光部及び受光部は、ｘ軸方向対、ｙ軸方向対、ｘ’軸方向対又はｙ’軸方向対の関係をもつことができる。
【００５５】
第１検出部７１は、ｘ軸方向に原点に近い方から順番にｙ軸方向対を１つずつ選択し、選択したｙ軸方向対において、発光部を点灯させ、受光部における光の入射の有無を検出する。各発光部の点灯は、該発光部に光路が接続されている第１発光素子１９（図２）を点灯することにより行われる。また、受光部における光の入射の有無は、該受光部に光路が接続されている第１受光素子２０（図２）における受光量と所定の閾値との対比から検出される。
【００５６】
もし、ｙ軸方向対における発光部と受光部との間に毛筆６の接触部分８０が存在しなければ、第１受光素子２０における受光量は閾値以上となる。また、もし、ｙ軸方向対における発光部と受光部との間に毛筆６の接触部分８０が存在すれば、第１受光素子２０における受光量は閾値未満となる。第１検出部７１は、Ｌxa−Ｌxb間のｙ軸方向対では、受光量＜閾値であるので、これを利用して、受光量＜閾値となるｘ軸方向範囲の境界線としてのＬxa，Ｌxbを検出する。
【００５７】
第１検出部７１は、全部のｙ軸方向対についてｘ軸方向に原点に近い方から順番に、受光部の入射光の有無を検出してもよいが、接触部分８０が１つだけと決まっている場合には、所要時間短縮のために、ｘ軸方向の接触部分８０の座標範囲を過ぎたと判断したら、すなわち選択したｙ軸方向対が接触部分８０よりもｘ軸方向に正側にあると判断したら、その時点でＳＴＥＰ１の処理を打ち切って、次のＳＴＥＰ２へ進むことができる。この打ち切り方式は、ＳＴＥＰ２〜４においても適用することができる。
【００５８】
第２検出部７２は、第１検出部７１と同様な方法で、Ｌya，Ｌybを検出する。すなわち、第２検出部７２は、ｙ軸方向に原点に近い方から順番にｘ軸方向対を１つずつ選択し、選択したｘ軸方向対において、発光部を点灯させ、受光部における光の入射の有無を検出する。そして、受光量＜閾値となるｙ軸方向範囲の境界線としてＬya，Ｌybを検出する。
【００５９】
なお、図９におけるＰ１〜Ｐ４は、図５〜図８のフローチャートにおいて、使用するものである。Ｐ１はＬxa，Ｌyaの交点、Ｐ２はＬxb，Ｌyaの交点、Ｐ３はＬxa，Ｌybの交点、Ｐ４はＬxb，Ｌybの交点を示している。Ｐ１〜Ｐ４により囲まれる領域は、接触部分８０についてｘ軸方向及びｙ軸方向の２つの軸方向に重複する占有範囲であり、本発明の暫定領域に相当する。
【００６０】
ＳＴＥＰ３では、第３検出部７３は、接触部分８０についてｘ’軸方向の両端のｙ’軸方向線を検出する。このｙ’軸方向線は、具体的には、図１０（ａ）ではＬx'a，Ｌx'bであり、図１０（ｂ）ではＬx'c，Ｌx'dとなる。Ｌx'c，Ｌx'dは、ｘ’軸方向にＬx'a，Ｌx'bの内側になる。
【００６１】
ＳＴＥＰ３における第３検出部７３による具体的な処理について、図５及び図６のフローチャートを参照して、説明する。
【００６２】
ＳＴＥＰ１１では、第３検出部７３は、Ｐ２，Ｐ３を検出する。Ｐ２及びＰ３の定義は、図９（ａ）を参照して前述したとおりである。
【００６３】
ＳＴＥＰ１２では、第３検出部７３は、Ｌx'a，Ｌx'b’を算出する。Ｌx'a，Ｌx'b’は、図１０に示すように、それぞれＰ２，Ｐ３を通るｙ’軸方向の直線である。
【００６４】
ＳＴＥＰ１３では、Ｌx'aに対応する発光部ｔａ及び受光部ｒａを算出する。発光部ｔａ及び受光部ｒａとは、具体的には、Ｌx'a上に存在するｙ’軸方向対の発光部及び受光部である。
【００６５】
ＳＴＥＰ１４では、第３検出部７３は、発光部ｔａより１つ外側の発光部を点灯させる。
【００６６】
図５及び図６のフローチャートにおいて、「内側」及び「外側」とは、Ｌx'aとＬx'bとの中心線を定義して、各位置において該中心線に近い側を内側、遠い側を外側と定義する。なお、後述の図７及び図８のフローチャートにおいて、「内側」及び「外側」とは、Ｌy'aとＬy'bとの中心線を定義して、各位置において該中心線に近い側を内側、遠い側を外側と定義する。
【００６７】
ＳＴＥＰ１４において、発光部ｔａより１つ外側の発光部とは、例えば、発光部ｔａが発光部ｔ１５であれば、発光部ｔ１６となる。
【００６８】
なお、ＳＴＥＰ１４と、後述のＳＴＥＰ１５，２６，２７，４４，４５，５６，５７では、発光部ｔａ若しくはｔｂ又は受光部ｒａ若しくはｒｂより１つ外側の発光部又は受光部を指定しているが、該１つ外側の発光部は、Ｌx'aとＬx'bとの間の範囲又はＬy'aとＬy'bとの間の範囲に対して、その両側の所定の隣接範囲に含まれる発光部の一例である。ＳＴＥＰ１４，１５，２６，２７，４４，４５，５６，５７では、該所定の隣接範囲を、発光部又は受光部が１つしかない小さな隣接範囲として設定しているが、該所定の隣接範囲を広く設定して、ＳＴＥＰ１４，１５，２６，２７，４４，４５，５６，５７では、２以上の所定数だけ外側の発光部又は受光部を指定することもできる。
【００６９】
ＳＴＥＰ１５では、第３検出部７３は、受光部ｒａより１つ外側の受光部の受光量Ｑｏを検出する。発光部ｔａより１つ外側の発光部と、受光部ｒａより１つ外側の受光部とは、ｙ’軸方向対となっている。ＳＴＥＰ１５における発光部から受光部への放射光は、毛筆６により遮られないので、Ｑｏは十分に大きい。
【００７０】
ＳＴＥＰ１６では、第３検出部７３は、点灯させる発光部を１つ内側にシフトする。ＳＴＥＰ１６において、１つ内側の発光部とは、シフト前の発光部が、例えば、発光部ｔ１６であれば、発光部ｔ１５となる。
【００７１】
ＳＴＥＰ１７では、第３検出部７３は、受光量を検出する受光部を１つ内側にシフトさせて、シフト後の受光部の受光量Ｑｎを検出する。ＳＴＥＰ１６において点灯された発光部とＳＴＥＰ１７において受光量を検出する受光部とは、ｙ’軸方向対となっている。発光部が点灯中のｙ’軸方向対において、発光部と受光部との間に接触部分８０が存在しなければ、受光部の受光量Ｑｎは、Ｑｏに等しい。また、両者の間に接触部分８０が存在していれば、受光部の受光量Ｑｎは、Ｑｏに比して大幅に減少する。
【００７２】
ＳＴＥＰ１８では、第３検出部７３は、Ｑｏ−Ｑｎと閾値Δとを対比し、Ｑｏ−Ｑｎ≧閾値Δであれば、ＳＴＥＰ１９に処理を進ませる。また、Ｑｏ−Ｑｎ＜閾値Δであれば、ＳＴＥＰ２０に処理を進ませる。
【００７３】
ＳＴＥＰ１８の判定がＹＥＳとは、最後に点灯した発光部のｙ’軸方向対において、発光部と受光部との間に接触部分８０が存在することを意味する。したがって、ＳＴＥＰ１９では、第３検出部７３は、最後に点灯させた発光部の位置に基づいてＬx'c（図１０（ｂ））を決定する。具体的には、第３検出部７３は、最後のｙ’軸方向対の発光部と受光部とを結ぶ直線をＬx'cとする。第３検出部７３は、ＳＴＥＰ１９の後、図６のＳＴＥＰ２５へ処理を進める。
【００７４】
ＳＴＥＰ１８の判定がＮＯとは、最後に点灯した発光部のｙ’軸方向対において、発光部と受光部との間に接触部分８０が存在しないことを意味する。したがって、ＳＴＥＰ２０では、第３検出部７３は、ＱｏにＱｎを代入してから、ＳＴＥＰ１６へ戻り、ＳＴＥＰ１６〜１８の処理を繰り返す。
【００７５】
ＳＴＥＰ２５からＳＴＥＰ３２までの処理は、ＳＴＥＰ１３からＳＴＥＰ２０までの処理がＬx'a側の処理であったのに対し、Ｌx'b側の処理である。ＳＴＥＰ２５〜ＳＴＥＰ３２は、ＳＴＥＰ１３〜ＳＴＥＰ２０に対応し、Ｌx'aがＬx'bに変更され、Ｌx'cがＬx'dに変更されている。また、Ｌx'aに対応する発光部ｔａ及び受光部ｒａが、Ｌx'bに対応する発光部ｔｂ及び受光部ｒｂに変更されている。
【００７６】
第３検出部７３は、ＳＴＥＰ１３〜ＳＴＥＰ２０と同様な処理をＳＴＥＰ２５〜ＳＴＥＰ３２において実行することにより、Ｌx'dを決定することができる。
【００７７】
なお、図１０（ａ）では、Ｌx'a及びＬx'bがそれぞれＬx'c及びＬx'dに重なっている。
【００７８】
図４に戻って、ＳＴＥＰ４では、第４検出部７４は、接触部分８０についてｙ’軸方向の両端のｘ’軸方向線を検出する。このｘ’軸方向線は、具体的には、図１１（ｂ）のＬy'c，Ｌy'dとなる。Ｌy'c，Ｌy'dは、ｙ’軸方向にＬy'a，Ｌy'bの内側になる。なお、図１１（ａ）では、Ｌy'a及びＬy'bがそれぞれＬy'c及びＬy'dに重なっている。
【００７９】
ＳＴＥＰ４における第４検出部７４による具体的な処理について、図７及び図８のフローチャートを参照して、説明する。
【００８０】
図７及び図８における処理は、図５及び図６における処理とほぼ同一である。相違点は、図５及び図６における処理がＰ２，Ｐ３（ＳＴＥＰ１１）からＬx'c，Ｌx'd（ＳＴＥＰ１９，３１）を求める処理であったのに対し、図７及び図８における処理はＰ１，Ｐ４（ＳＴＥＰ４１）からＬy'c，Ｌy'd（ＳＴＥＰ４９，６１）を求める処理となっている。
【００８１】
このため、図７及び図８の処理では、図５及び図６のＰ２，Ｐ３がＰ１，Ｐ４に変更され、Ｌx'a，Ｌx'bがＬy'a，Ｌy'bに変更され、Ｌx'c，Ｌx'dがＬy'c，Ｌy'dに変更されている。
【００８２】
第４検出部７４は、第３検出部７３が行った図５及び図６の処理に代えて、図７及び図８の処理を実行することにより、図１１のＬy'c，Ｌy'dを決定する。
【００８３】
図４に戻り、ＳＴＥＰ５では、重複領域判断部７５は、ＳＴＥＰ１〜４で検出したＬxa，Ｌxb，Ｌya，Ｌyb，Ｌx'c，Ｌx'd，Ｌy'c，Ｌy'dに基づいて接触部分８０の形状、大きさ及び座標位置を判断する。
【００８４】
図１２を参照して、重複領域判断部７５の処理を具体的に説明する。以下の説明において、接触部分８０についてのｘ軸方向、ｙ軸方向、ｘ’軸方向、ｙ’軸方向の座標範囲は、本発明における接触物体の接触部分についての第１方向、第２方向、第３方向及び第４方向の占有範囲の一例である。
【００８５】
接触部分８０は、ｘ軸方向にはＬxaとＬxbとの間の範囲、ｙ軸方向にはＬyaとＬybとの間の範囲、ｘ’軸方向にはＬx'cとＬx'dとの間の範囲、ｙ’軸方向にはＬy'cとＬy'dとの間の範囲にある。これらの範囲が重複する範囲は、図１２に符号“８１”で示される範囲であり、ハッチングを付けて示している。
【００８６】
接触部分８０の形状（入力面７に対する毛筆６の接触形状）は、重複領域８１の形状に完全に一致していないものの、接触部分８０は、重複領域８１の内側に存在しており、図９（ａ）の正方形の接触部分８０に対し、形状が十分に絞り込まれている。なお、重複領域判断部７５は、接触部分８０の座標位置を、例えば重複領域８１の重心に設定する。接触部分８０の座標位置として、Ｌxa，Ｌxb，Ｌya，Ｌybの４線が囲む矩形領域内の任意の点とすることもできるし、接触部分８０の座標位置を１つの座標位置にせず、重複領域８１の複数の頂点の座標位置の集合とすることもできる。
【００８７】
図４に戻り、ＳＴＥＰ６では、表示制御部７６は、重複領域８１について重複領域判断部７５が判断した形状、大きさ及び座標位置に基づいてＬＣＤ２の表示面３に描画物を描画する。表示制御部７６が実施する描画処理の具体例を、図１３を参照して説明する。
【００８８】
図１３は、表示制御部７６によるＬＣＤ２における描画処理を示している。ＬＣＤ２上の素材写像８５−１〜８５−５に対して時刻Ｔ１〜Ｔ５を対応付けて説明する。時刻Ｔ１，Ｔ２，・・・，Ｔ５の順番で、時間的に後とする。素材写像８５−１〜８５−５は、重複領域判断部７５が、接触部分８０について時刻Ｔ１〜Ｔ５において決定した重複領域８１の形状、座標位置及び大きさに対応付けられたものとなっている。
【００８９】
なお、素材写像は、表示制御部７６がＬＣＤ２上に描画物を描画する際の作図に使用するものであり、ＬＣＤ２上に最終的に表示される描画物ではない。
【００９０】
表示制御部７６は、例えば、素材写像８５−１〜８５−５を、それぞれ時刻Ｔ１〜Ｔ５において重複領域判断部７５が判断した重複領域８１の座標位置に対応するＬＣＤ２上の座標位置に存在し、かつ重複領域８１とは相似の形状に設定する。
【００９１】
表示制御部７６は、周知の補間法を使用して、各時刻の素材写像８５−１〜８５−５から、時刻間の描画物を算出し、ＬＣＤ２に表示する全体の描画を完成する。補間法は、時刻Ｔ１〜Ｔ５の描画物を素材写像８５−１〜８５−５に設定し、各時刻間において、描画物が、前の時刻の素材写像から次の時刻の素材写像に、見た目が連続してつながるように、複数の補間画像を生成して、重なり部分を塗りつぶしてＬＣＤ２上に生成される。
【００９２】
図１３の描画例は、使用者が、毛筆６を、時刻Ｔ１から時刻Ｔ４までは、入力面７の左斜め上から右斜め下に動かし、時刻Ｔ４から時刻Ｔ５までは、右斜め上に動かしたときの描画に対応する。図１３（ａ）では、使用者は、時刻Ｔ２，Ｔ３，Ｔ５において、毛筆６を入力面７から少し引き、時刻Ｔ１，Ｔ４において入力面７の方へ押している。
【００９３】
この結果、図１３（ａ）では、重複領域判断部７５は、毛筆６の接触部分８０に対して、時刻Ｔ１，Ｔ４では、正方形の重複領域８１を決定し、時刻Ｔ２，Ｔ３，Ｔ５では、円の重複領域８１を決定する。これに対応付けて、表示制御部７６は、時刻Ｔ１，Ｔ４の素材写像８５−１，８５−４を、正方形とし、時刻Ｔ２，Ｔ３，Ｔ５の素材写像８５−２，８５−３，８５−５は、円とする。
【００９４】
図１３（ａ）では、表示制御部７６は、素材写像８５−１から素材写像８５−２の方へ描画幅が徐々に狭まり、素材写像８５−２から素材写像８５−３までは、細い描画幅を維持し、素材写像８５−３から素材写像８５−４の方へ描画幅が徐々に広がり、素材写像８５−４から素材写像８５−５までは、描画幅が再び、徐々に狭まる描画物をＬＣＤ２上に描画する。
【００９５】
一方、図１３（ｂ）では、使用者は、時刻Ｔ１から時刻Ｔ５まで、毛筆６を入力面７に対して同一の押しつけ力で動かしている。これに対応付けて、表示制御部７６は、素材写像８５−１〜８５−５のすべてを正方形として生成される。この結果、素材写像８５−１から素材写像８５−５までを連続させた時刻Ｔ５におけるＬＣＤ２上の描画物は、等しい描画幅を維持するものになる。
【００９６】
毛筆６の接触部分８０を、図９のようにｘ軸方向及びｙ軸方向の２方向の座標範囲のみで判断するときは、接触部分８０の形状を十分に絞り込めず、例えば、一律に１つの形状（例：楕円）に設定することがある。この場合、使用者が、図１３（ａ）及び（ｂ）に対応する筆遣いを行ったときも、ＬＣＤ２に表示される描画物は同一になってしまう。これに対し、光学式描画装置１では、図１３（ａ）に対応する筆遣いと図１３（ｂ）に対応する筆遣いとを区別して、描画がＬＣＤ２に行われるので、描画の品質が向上する。
【００９７】
本発明の実施形態について説明したが、本発明は、これに限定されることなく、種々の態様で実施可能である。
【００９８】
毛筆６は、本発明の接触物体の一例である。毛筆６に代えて、指やスポンジのように、入力面に接触すると接触部分の形状が押圧の加減によって任意に変化する接触物体を用いての描画にも、本発明は適用可能である。
【００９９】
ＬＣＤ２は、本発明の表示部の一例である。透明板５は、本発明の、透明材料から成る入力面部材の一例である。光学式描画装置１では、使用者が、透明板５を通して、ＬＣＤ２上の描画物を見ることができるようになっているが、本発明では、表示部と入力面部材とを別々の場所に配備することもできる。
【０１００】
入力面７における上辺６１、左辺６２、下辺６３及び右辺６４（図３）は、それぞれ本発明の第１辺、第２辺、第３辺及び第４辺の一例である。
【０１０１】
発光部ｔ１０〜ｔ２９は、本発明の第１光放射部の一例である。受光部ｒ３０〜ｒ４９は、本発明の第１受光部の一例である。発光部ｐ１０〜ｐ１９，ｐ４０〜ｐ４９は、本発明の第２光放射部の一例である。受光部ｑ２０〜ｑ３９は、本発明の第２受光部の一例である。
【０１０２】
上記の実施形態におけるｘ軸方向、ｙ軸方向、ｘ’軸方向、ｙ’軸方向（図９等）は、本発明の第１方向、第２方向、第３方向及び第４方向の一例である。ここで、ｘ’軸方向及びｙ’軸方向は、ｘ軸方向に対する対称な角度としてそれぞれ±４５°で傾斜しているが、本発明の第３方向及び第４方向は、第１方向に対して、４５°以外の対称な角度で傾斜するものであってもよい。
【０１０３】
実施形態では、第１発光素子１９及び第２発光素子２１、並びに第１受光素子２０及び第２受光素子２２が、入力面７の下側に配設しているが、それら素子が十分に小型であり、かつ入力面７の上面側にそれら素子を配設するスペースがあれば、それら素子を入力面７の上面側に配設することができる。そして、その場合、導光部は省略することができる。
【符号の説明】
【０１０４】
１・・・光学式描画装置、２・・・ＬＣＤ（表示部）、５・・・透明板（入力面部材）、６・・・毛筆（接触物体）、７・・・入力面、４１・・・第１光放射部、４２・・・第１光入射部、４５・・・第２光放射部、４６・・・第２光入射部、６１・・・上辺（第１辺）、６２・・・左辺（第２辺）、６３・・・下辺（第３辺）、６４・・・右辺（第４辺）、７１・・・第１検出部、７２・・・第２検出部、７３・・・第３検出部、７４・・・第４検出部、７５・・・重複領域判断部、８０・・・接触部分、８１・・・重複領域。
【図４】
2015125485.tif 000003
【図１】
2015125485.tif 000004
【図２】
2015125485.tif 000005
【図３】
2015125485.tif 000006
【図５】
2015125485.tif 000007
【図６】
2015125485.tif 000008
【図７】
2015125485.tif 000009
【図８】
2015125485.tif 000010
【図９】
2015125485.tif 000011
【図１０】
2015125485.tif 000012
【図１１】
2015125485.tif 000013
【図１２】
2015125485.tif 000014
【図１３】
2015125485.tif 000015